(57)【要約】【課題】構造体の回転に伴って回転するシャフトに巻き付けられたフレキシブル配線基板の、構造体の回転操作による破損を抑制する。【解決手段】電子機器の一例である撮像装置１００は、本体１００に対して回転自在に支持される表示ユニット５０を備え、表示ユニット５０の回転中心に配置されるシャフト５１にＦＰＣ５４の巻回部５４ｂが両面テープ５６を介して巻き付けられ、巻回部５４ｂは、巻回部５４ｂから幅Ｗの間隔を隔てて延出する本体側配線部５４ａと表示ユニット側配線部５４ｃを接続する中継領域５４ｄを有する。本体１０にシャフト５１とＦＰＣ５４の一部を挿通させる挿通部１０ｂを切り欠き部１０ｃ及び突出部１０ｄによって形成し、ＦＰＣ５４が、表示ユニット５０の回転位置に関わりなく、中継領域５４ｄの終端部が常にシャフト５１と突出部１０ｄとによって囲まれる領域へ侵入しないように、ＦＰＣ５４をシャフト５１に巻き付ける。【選択図】図４
2016058440.tif 000002
【特許請求の範囲】
【請求項１】
機器本体と、前記機器本体に対して回転自在に支持される構造体と、を備える電子機器であって、
前記電子機器は、
前記機器本体に支持されて前記構造体の回転中心に配置されるシャフトと、
前記シャフトの外周面に巻き付けられて保持されるフレキシブル配線基板と、
前記フレキシブル配線基板を前記シャフトに巻き付けるために前記フレキシブル配線基板に貼り合わせられる接合部材と、
前記機器本体に設けられた切り欠き部および突出部によって形成され、前記シャフト、前記フレキシブル配線基板および前記接合部材のそれぞれ一部を内部に挿通させることができる挿通部と、
を有し、
前記フレキシブル配線基板は、
前記接合部材を介して前記シャフトに巻き付けられる巻回部と、
前記巻回部から延出し、前記機器本体に接続される第１の配線部と、
前記巻回部から前記第１の配線部が延出する方向と同じ方向に前記第１の配線部と所定の間隔を空けて延出し、前記構造体に接続される第２の配線部と、を有し、
前記フレキシブル配線基板は、前記巻回部における前記第１の配線部と前記第２の配線部との間の領域の中央近傍に前記挿通部の開口が位置するように前記シャフトに対して配置され、
前記フレキシブル配線基板が前記シャフトに巻き付けられた状態において、前記構造体の回転位置に関わりなく、前記巻回部における前記第１の配線部と前記第２の配線部との間の端部が前記シャフトと前記突出部とによって囲まれる領域へ侵入しないように、前記フレキシブル配線基板を前記シャフトに巻き付けることを特徴とする電子機器。
【請求項２】
前記巻回部における前記端部は、前記構造体の回転中心を始点として前記突出部に接する２つの接線によって形成される中心角の範囲外に常に位置することを特徴とする請求項１に記載の電子機器。
【請求項３】
前記切り欠き部と前記突出部はそれぞれ別の部品で構成されていることを特徴とする請求項１又は２に記載の電子機器。
【請求項４】
前記突出部は、前記機器本体と前記構造体との間の隙間を遮蔽することを特徴とする請求項３に記載の電子機器。
【発明の詳細な説明】
【技術分野】
【０００１】
本発明は、機器本体に対して回転自在に支持された構造体を有する電子機器に関する。
【背景技術】
【０００２】
近年、機器本体に対して回転自在に表示パネル等の表示装置が設けられたデジタルカメラが普及しており、その使用者は、表示装置を回転させることによって、機器本体に対して様々な角度から表示装置に表示された被写体等を確認することができる。このように、機器本体に対して回転自在に表示装置等の構造体を支持させることで、利便性を向上させた電子機器の普及が進んでいる。
【０００３】
このような電子機器における機器本体と構造体との電気的接続には、フレキシブル配線基板が広く用いられている。例えば、フレキシブル配線基板を用いた配線形態として、構造体を支持する回転軸に対して、両面テープ等を介してフレキシブル配線基板を巻き付ける構成が知られている（特許文献１参照）。
【０００４】
ここで図５及至図８を参照して、従来の電子機器の一例としての撮像装置について説明する。図５は、従来の撮像装置２００を背面側から見た外観斜視図である。撮像装置２００は、機器本体１１０（以下「本体１１０」と記す）と、本体１１０の背面側に設けられた表示ユニット１５０とを有する。表示ユニット１５０は、ヒンジを介して本体１１０に対して回転自在に保持されている。表示ユニット１５０は、図５（ａ）の回転位置と図５（ｃ）の回転位置との間を図５（ｂ）の回転位置を経由して遷移可能となるように、本体１１０に対して回転可能に配置されている。
【０００５】
図６は、撮像装置２００において、本体１１０と表示ユニット１５０とを接続するフレキシブル配線基板１５４（以下「ＦＰＣ１５４」と記す）の状態を示す斜視図である。表示ユニット１５０は、シャフト１５１、シャーシ１５２、表示部ケース１５３、ＦＰＣ１５４及び基板１５５を備える。シャーシ１５２には腕部１５２ａ，１５２ｂが形成されており、腕部１５２ａ，１５２ｂは、シャフト１５１に対してスポット溶接等によって接合されている。一方、本体１１０は、不図示の本体シャーシを備えており、本体シャーシは、シャフト１５１の両端を保持することで、本体１１０に対して表示ユニット１５０を回転自在に保持している。よって、表示ユニット１５０を本体１１０に対して回転させると、表示ユニット１５０の回転動作に連動してシャフト１５１も回転する。
【０００６】
図７は、シャフト１５１にＦＰＣ１５４が巻き付けられた状態を示す斜視図である。本体１１０には、シャフト１５１をその内部に挿通させる挿通部１１０ｂが設けられている。ＦＰＣ１５４は、シャフト１５１の一部に巻き付けられて保持されており、ＦＰＣ１５４は、その巻回部分から挿通部１１０ｂを介して本体１１０側と表示ユニット１５０側のそれぞれへと延出している。
【０００７】
基板１５５には、コネクタ１５５ａが実装されている。また、本体１１０は、不図示のコネクタが実装された不図示の基板を有する。ＦＰＣ１５４は、シャフト１５１に巻き付けられる巻回部１５４ｂと、巻回部１５４ｂから同じ方向に略平行に延出する本体側配線部１５４ａと表示ユニット側配線部１５４ｃとを有する。図７に示すように、巻回部１５４ｂは、本体側配線部１５４ａと表示ユニット側配線部１５４ｃの間に、幅Ｌの長さを有する中継領域１５４ｄを有し、中継領域１５４ｄの終端部１５４ｅが露出している。
【０００８】
巻回部１５４ｂには、両面テープ１５６が貼り合わされている。ＦＰＣ１５４は、両面テープ１５６を貼り合わせた後にシャフト１５１に巻き付けられることで、シャフト１５１に保持される。本体側配線部１５４ａの先端部は本体１１０に設けられた不図示のコネクタに接続され、表示ユニット側配線部１５４ｃの先端部はコネクタ１５５ａに接続され、これにより、本体１１０と表示ユニット１５０とがＦＰＣ１５４を介して電気的に接続される。
【０００９】
図８は、シャフト１５１にＦＰＣ１５４が巻き付けられた状態を示す概略断面図である。具体的には、図８（ａ）は、図５（ａ）に示す矢視Ｄ−Ｄの断面図であり、図８（ｂ）は、図５（ｂ）に示す矢視Ｅ−Ｅの断面図であり、図８（ｃ）は、図５（ｃ）に示す矢視Ｆ−Ｆの断面図である。
【００１０】
本体１１０は、切り欠き部１１０ｃ及び突出部１１０ｄを有する。切り欠き部１１０ｃは、円弧状切り欠き領域１１１ｃ及び直線状切り欠き領域１１２ｃを有する。突出部１１０ｄは、円弧状切り欠き領域１１１ｄを有する。突出部１１０ｄは、切り欠き部１１０ｃの直線状切り欠き領域１１２ｃに入り込むように配置される。挿通部１１０ｂは、切り欠き部１１０ｃの直線状切り欠き領域１１２ｃの一部と、円弧状切り欠き領域１１１ｃと、突出部１１０ｄの円弧状切り欠き領域１１１ｄとによって形成されている。そして、突出部１１０ｄを切り欠き部１１０ｃの直線状切り欠き領域１１２ｃに配置することによって、隙間１１０ｅが形成されている。
【先行技術文献】
【特許文献】
【００１１】
【特許文献１】特開２００５−９０７０７号公報
【発明の概要】
【発明が解決しようとする課題】
【００１２】
ＦＰＣ１５４は、図８に示すように、終端部１５４ｅを含めて、両面テープ１５６を介してシャフト１５１に巻き付けられて、保持されている。中継領域１５４ｄは、シャフト１５１に巻き付けられることによってシャフト１５１の径に沿って湾曲している。中継領域１５４ｄの終端部１５４ｅには、この湾曲に起因して、巻き付いた状態から剥離する方向に反発力が作用する。
【００１３】
そのため、例えば、両面テープ１５６がシャフト１５１に巻き付く粘着力が、吸湿や径時劣化等によって低下して、終端部１５４ｅに作用する反発力よりも小さくなった場合には、終端部１５４ｅがシャフト１５１から剥がれてしまう。図８（ｃ）には、ＦＰＣ１５４の終端部１５４ｅがシャフト１５１から剥がれた状態が２点鎖線で示されている。終端部１５４ｅが剥がれた状態のままで表示ユニット１５０が図８（ｃ）の位置（つまり、図５（ｃ）の位置）から図８（ｂ）の位置（つまり、図５（ｂ）の位置）へ遷移すると、終端部１５４ｅは、図８（ｂ）に２点鎖線で示すように、隙間１１０ｅに侵入する。こうして、表示ユニット１５０の回転操作に伴って終端部１５４ｅがシャフト１５１から更に剥がれていくと、表示ユニット１５０の回転動作に連動できなくなって終端部１５４ｅが破損し、ＦＰＣ１５４内部に設けられた配線パターンが断線する可能性が高くなる。
【００１４】
本発明は、構造体の回転操作に伴って回転するシャフトに巻き付けられたフレキシブル配線基板の、構造体の回転による破損を抑制する技術を提供することを目的とする。
【課題を解決するための手段】
【００１５】
本発明に係る電子機器は、機器本体と、前記機器本体に対して回転自在に支持される構造体と、を備える電子機器であって、前記電子機器は、前記機器本体に支持されて前記構造体の回転中心に配置されるシャフトと、前記シャフトの外周面に巻き付けられて保持されるフレキシブル配線基板と、前記フレキシブル配線基板を前記シャフトに巻き付けるために前記フレキシブル配線基板に貼り合わせられる接合部材と、前記機器本体に設けられた切り欠き部および突出部によって形成され、前記シャフト、前記フレキシブル配線基板および前記接合部材のそれぞれ一部を内部に挿通させることができる挿通部と、を有し、前記フレキシブル配線基板は、前記接合部材を介して前記シャフトに巻き付けられる巻回部と、前記巻回部から延出し、前記機器本体に接続される第１の配線部と、前記巻回部から前記第１の配線部が延出する方向と同じ方向に前記第１の配線部と所定の間隔を空けて延出し、前記構造体に接続される第２の配線部と、を有し、前記フレキシブル配線基板は、前記巻回部における前記第１の配線部と前記第２の配線部との間の領域の中央近傍に前記挿通部の開口が位置するように前記シャフトに対して配置され、前記フレキシブル配線基板が前記シャフトに巻き付けられた状態において、前記構造体の回転位置に関わりなく、前記巻回部における前記第１の配線部と前記第２の配線部との間の端部が前記シャフトと前記突出部とによって囲まれる領域へ侵入しないように、前記フレキシブル配線基板を前記シャフトに巻き付けることを特徴とする。
【発明の効果】
【００１６】
本発明によれば、構造体の回転に伴って回転するシャフトに巻き付けられたフレキシブル配線基板の、構造体の回転操作による破損を抑制することができる。
【図面の簡単な説明】
【００１７】
【図１】本発明の実施形態に係る撮像装置を背面側から見た外観斜視図である。
【図２】図１の撮像装置において本体と表示ユニットとを接続するフレキシブル配線基板（ＦＰＣ）の状態を示す斜視図である。
【図３】図１の撮像装置において、表示ユニットが有するシャフトに対してＦＰＣを巻き付ける前後それぞれでのＦＰＣの状態を示す斜視図である。
【図４】図１（ａ）に示す矢視Ａ−Ａの断面図、図１（ｂ）に示す矢視Ｂ−Ｂの断面図、図１（ｃ）に示す矢視Ｃ−Ｃの断面図である。
【図５】従来の撮像装置を背面側から見た外観斜視図である。
【図６】図５の撮像装置において本体と表示ユニットとを接続するＦＰＣの状態を示す斜視図である。
【図７】図５の撮像装置においてシャフトにＦＰＣが巻き付けられた状態を示す斜視図である。
【図８】図５（ａ）に示す矢視Ｄ−Ｄの断面図、図５（ｂ）に示す矢視Ｅ−Ｅの断面図、図５（ｃ）に示す矢視Ｆ−Ｆの断面図である。
【発明を実施するための形態】
【００１８】
以下、本発明の実施形態について、添付図面を参照して詳細に説明する。ここでは、本発明に係る電子機器として、撮像機能を備える機器本体と、機器本体に対して回転自在に支持される構造体の一例としての表示ユニットとを備える撮像装置（所謂、デジタルカメラ）を取り上げることとする。但し、本発明に係る電子機器は、これに限定されるものではなく、機器本体と、機器本体に対して回転自在に取り付けられた構造部とを有する電子機器に広く適用することができる。
【００１９】
図１は、本発明の実施形態に係る撮像装置１００を背面側から見た外観斜視図である。撮像装置１００は、機器本体１０（以下「本体１０」と記す）と、本体１０の正面側のほぼ中央部に設けられた鏡筒ユニット３０と、本体１０の背面側に設けられた表示ユニット５０とを備える。
【００２０】
鏡筒ユニット３０は、内包する不図示の複数のレンズ群を光軸方向に移動させることができる構造を有し、本体１０から突出した撮影位置と、複数のレンズ群を本体１０内部に収容して本体１０内に沈胴した収納位置との間で遷移可能に構成されている。
【００２１】
表示ユニット５０は、ヒンジを介して本体１０に対して回転自在に保持されている。表示ユニット５０は、液晶ディスプレイ或いは有機ＥＬディスプレイ等の表示装置を有する。表示装置には、本体１０に内蔵された不図示の撮像素子から出力された撮像信号に基づくライブビュー画像や撮影画像、撮影条件等を表示することができるようになっている。
【００２２】
表示ユニット５０は、図１（ａ）の回転位置と図１（ｃ）の回転位置との間を図１（ｂ）の回転位置を経由して遷移可能となるように、本体１０に対して回転可能に配置されている。また、撮像装置１００は、本体１０に対して表示ユニット５０の回転角度を検出する不図示の回転位置検出センサを備える。例えば、表示ユニット５０が図１（ａ）の姿勢から図１（ｃ）の回転位置へと変化したことを回転位置検出センサが検出すると、本体１０に設けられた不図示の制御部（マイコン）が、それまで表示装置の画面に表示していた画像の上下を反転させる表示制御を行う。これにより、撮影者は、表示装置の画面に表示されている情報を被写体側から容易に認識することができる。
【００２３】
本体１０は、図１（ｂ），（ｃ）に図示されるように、背面部１０ａを有する。また、表示ユニット５０は、当接部５０ａ，５０ｂ，５０ｃ，５０ｄを有し、当接部５０ａ，５０ｂは、表示ユニット５０の表示画面がある表面側に設けられており、当接部５０ｃ，５０ｄは、表示ユニット５０の裏面側に設けられている。撮像装置１００が図１（ａ）の回転位置にあるときには、表示ユニット５０の当接部５０ｃ，５０ｄが背面部１０ａに当接し、撮像装置１００が図１（ｃ）の回転位置にあるときには、表示ユニット５０の当接部５０ａ，５０ｂが背面部１０ａに当接する。
【００２４】
図２は、本体１０と表示ユニット５０とを接続するフレキシブル配線基板５４（以下「ＦＰＣ５４」と記す）の状態を示す斜視図であり、図１（ａ）に示す回転位置にある表示ユニット５０の一部を分解した状態を本体１０の背面側から見ている。表示ユニット５０は、シャフト５１、シャーシ５２、表示部ケース５３、ＦＰＣ５４及び基板５５を備える。
【００２５】
シャフト５１は、表示ユニット５０の回転中心に配置される。本体１０は、不図示の本体シャーシを備え、本体シャーシは、シャフト５１の両端を保持する。本体１０には、シャフト５１をその内部に挿通させる挿通部１０ｂが設けられている。また、シャーシ５２には、腕部５２ａ，５２ｂが形成されており、腕部５２ａ，５２ｂは、スポット溶接等によってシャフト５１に接合されている。こうして、表示ユニット５０は、本体１０に対して回転自在に保持され、表示ユニット５０の回転に伴ってシャフト５１も回転する。
【００２６】
図３（ａ）は、シャフト５１に対してＦＰＣ５４を巻き付ける前のＦＰＣ５４の状態を示す斜視図である。図３（ｂ）はシャフト５１に巻き付けられたＦＰＣ５４の状態を示す斜視図である。ＦＰＣ５４は、シャフト５１の外周面に巻き付けられる巻回部５４ｂと、巻回部５４ｂから同じ方向に略平に所定の間隔（後述の幅Ｗ）を空けて延出する本体側配線部５４ａ（第１の配線部）と表示ユニット側配線部５４ｃ（第２の配線部）とを有する。ＦＰＣ５４は、シャフト５１の一部に巻き付けられて保持されており、本体側配線部５４ａと表示ユニット側配線部５４ｃはそれぞれ、シャフト５１に対する巻回部分から挿通部１０ｂを介して、本体１０側と表示ユニット５０側とへと延出している。ＦＰＣ５４の配線パターンは、本体側配線部５４ａの先端から巻回部５４ｂを介して表示ユニット側配線部５４ｃの先端へと延出している。巻回部５４ｂは、本体側配線部５４ａと表示ユニット側配線部５４ｃの間に、幅Ｗの長さを有する中継領域５４ｄを有する。
【００２７】
図２に示すように、基板５５には、コネクタ５５ａが実装されている。また、本体１０は、不図示のコネクタが実装された不図示の基板を有する。本体１０の挿通部１０ｂは、本体１０に対して表示ユニット５０を組み付けたときに、シャフト５１に巻き付けられたＦＰＣ５４の中継領域５４ｄの中央近傍に位置するように構成されている。巻回部５４ｂには、接合部材である両面テープ５６が貼り合わされている。ＦＰＣ５４は、両面テープ５６を貼り合わせられた後に、シャフト５１に巻き付けられることでシャフト５１に保持される。本体側配線部５４ａの先端部は、本体１０に搭載された不図示のコネクタに接続され、表示ユニット側配線部５４ｃの先端部はコネクタ５５ａに接続される。こうして、ＦＰＣ５４によって、本体１０と表示ユニット５０とが電気的に接続される。
【００２８】
図４は、シャフト５１にＦＰＣ５４が巻き付けられた状態を示す断面図である。具体的には、図４（ａ）は、図１（ａ）中の矢視Ａ−Ａ断面図である。図４（ｂ）は、図１（ｂ）の矢視Ｂ−Ｂ断面図である。図４（ｃ）は、図１（ｃ）の矢視Ｃ−Ｃ断面図である。
【００２９】
本体１０に設けられた挿通部１０ｂは、開口を有し、シャフト５１とＦＰＣ５４の巻回部５４ｂをその開口の内部に挿通させることができる。本体１０に対して表示ユニット５０を組み付ける際には、シャフト５１の先端を挿通部１０ｂに挿通し、続いて、ＦＰＣ５４の巻回部５４ｂの一部及び本体側配線部５４ａを挿通部１０ｂに挿通する。これにより、表示ユニット５０は、図２（つまり、図１（ａ））に示す位置に配置される。
【００３０】
ここで、本体１０を構成する１つの部品に挿通部１０ｂが形成されている場合には、巻回部５４ｂから延出した本体側配線部５４ａを、一度、巻回部５４ｂ側に畳んだ状態で挿通部１０ｂに挿通しなければならないため、組み立てが難しくなる。そのため、本体１０に対して表示ユニット５０を組み付ける過程でＦＰＣ５４を破損する可能性が高くなる。したがって、本体１０に対して表示ユニット５０を組み付ける際の組み立て性を考慮すると、挿通部１０ｂの開口を複数の部品によって形成することが望ましい。
【００３１】
本実施形態では、挿通部１０ｂの開口を複数の部品によって形成する。つまり、挿通部１０ｂを構成する一部にＦＰＣ５４を挿通し、その後に挿通部１０ｂを完成させる。そのために、本体１０は、切り欠き部１０ｃと突出部１０ｄとを有し、切り欠き部１０ｃと突出部１０ｄはそれぞれ、別の部品で構成されている。切り欠き部１０ｃは、円弧状切り欠き領域１０ｃ１と直線状切り欠き領域１０ｃ２を有し、突出部１０ｄは、その一部に形成された円弧状切り欠き領域１０ｄ１を有する。
【００３２】
突出部１０ｄは、切り欠き部１０ｃの直線状切り欠き領域１０ｃ２との間に隙間１０ｅをもって直線状切り欠き領域１０ｃ２に入り込むように配置される。こうして、挿通部１０ｂは、切り欠き部１０ｃに形成されている直線状切り欠き領域１０ｃ２の一部、円弧状切り欠き領域１０ｃ１、及び、突出部１０ｄに形成されている円弧状切り欠き領域１０ｄ１によって形成される。突出部１０ｄは、シャフト５１の一部を囲むように円弧状切り欠き領域１０ｄ１が形成されていることで、本体１０と表示ユニット５０の隙間を遮蔽する。
【００３３】
ＦＰＣ５４は、中継領域５４ｄにおける終端部５４ｅ（つまり、巻回部５４ｂにおける本体側配線部５４ａと表示ユニット側配線部５４ｃとの間の端部）を含めて、両面テープ５６を介してシャフト５１に巻き付けられて、保持されている。ここで、終端部５４ｅの位置は、表示ユニット５０の回転位置に関わりなく、常に終端部５４ｅが隙間１０ｅから常に一定の距離を確保するように設定されている。具体的には、終端部５４ｅは、表示ユニット５０の回転中心を始点として突出部１０ｄに接する２つの接線によって形成される中心角θの範囲外に常に位置するように配置されている。
【００３４】
このように終端部５４ｅの位置を設定する理由は、次の通りである。即ち、中継領域５４ｄは、シャフト５１に巻き付けられることによってシャフト５１の径に沿って湾曲しており、この湾曲によって中継領域５４ｄの終端部５４ｅには、巻き付いた状態から剥離する方向に反発力が作用する。しかし、表示ユニット５０を回転させたときに終端部５４ｅと隙間１０ｅとの距離が常に一定量確保されることで、仮に終端部５４ｅがシャフト５１に対して剥がれても、終端部５４ｅが隙間１０ｅに侵入することはなくなる。よって、本実施形態によれば、図５乃至図８を参照して説明した従来構造におけるＦＰＣ１５４の剥離によって生じる問題を解決することができる。つまり、表示ユニット５０が回転操作された際に、ＦＰＣ５４は、終端部５４ｅに剥離が生じたとしても、常に表示ユニット５０の回転動作に連動することができるため、表示ユニット５０の回転操作によるＦＰＣ５４の破損を抑制することができる。
【００３５】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００３６】
１０    機器本体（本体）
１０ｄ    突出部 
５０    表示ユニット 
５１    シャフト 
５４    フレキシブル配線基板（ＦＰＣ） 
５４ａ    本体側配線部（第１の配線部）
５４ｂ    巻回部 
５４ｃ    表示ユニット側配線部（第２の配線部）
５４ｄ    中継領域 
５４ｅ    終端部
５６    両面テープ（接合部材） 
１００    撮像装置 
【図１】
2016058440.tif 000003
【図２】
2016058440.tif 000004
【図３】
2016058440.tif 000005
【図４】
2016058440.tif 000006
【図５】
2016058440.tif 000007
【図６】
2016058440.tif 000008
【図７】
2016058440.tif 000009
【図８】
2016058440.tif 000010